(57)【要約】発信者が特定の範囲内のどの場所からでも、他の情報通知端末にプッシュ通知を発信することができる情報通知端末を得る。ユーザに装着される情報通知端末は、Ｂｌｕｅｔｏｏｔｈにより他の情報通知端末との間で情報を送受信するように構成され、この情報通知端末の通知発信手段２１が、他の情報通知端末に対し、指示内容および通知手段２７の情報を含む通知を発信すると、この通知を受けた他の情報通知端末では、通知に含まれる通知手段の情報に応じた光、音、振動により、他の情報通知端末のユーザに対し、通知を受信したことを伝えるようにした。
2019039274.tif 000002
【特許請求の範囲】
【請求項１】
所定範囲内の無線信号の送受信を行なう情報通知端末であって、
他の情報通知端末に対し、上記他の情報通知端末に対する指示内容を含む通知を発信する通知発信手段、
および他の情報通知端末から自情報通知端末が上記通知を受信した場合に、この受信を自情報通知端末に知らせるための複数種類の方法のうちのいずれかによって、使用者(作業者)に知らせる通知手段を備え、
上記通知発信手段によって発信される通知は、通知先の情報通知端末の上記通知手段が上記通知先の情報通知端末に知らせる方法の情報を含むことを特徴とする情報通知端末。
【請求項２】
他の情報通知端末から、上記他の情報通知端末の使用環境に関する情報を取得する情報取得手段を備え、
上記通知発信手段は、上記使用環境に関する情報に基づき、上記通知に含める上記通知手段が上記通知先の情報通知端末に知らせる方法を選択可能に構成されていることを特徴とする請求項１に記載の情報通知端末。
【請求項３】
上記通知発信手段は、上記使用環境に関する情報に基づき、上記通知を発信する通知先の情報通知端末を選択可能に構成されていることを特徴とする請求項２に記載の情報通知端末。
【請求項４】
他の情報通知端末から受信した上記通知の履歴を表示する受信履歴表示手段を備えたことを特徴とする請求項１から請求項３のいずれか一項に記載の情報通知端末。
【請求項５】
上記受信履歴表示手段は、他の情報通知端末から受信した上記通知に対する対応状況を、上記他の情報通知端末に送信する対応状況送信手段を有することを特徴とする請求項４に記載の情報通知端末。
【請求項６】
上記通知発信手段により発信した上記通知の履歴を表示する発信履歴表示手段を備えたことを特徴とする請求項１から請求項５のいずれか一項に記載の情報通知端末。
【請求項７】
上記通知発信手段を操作するための音声が入力される音声入力手段を備えたことを特徴とする請求項１から請求項６のいずれか一項に記載の情報通知端末。
【請求項８】
上記複数種類の方法は、音、光、振動を含むことを特徴とする請求項１から請求項７のいずれか一項に記載の情報通知端末。
【請求項９】
上記複数種類の方法の少なくとも一つを予め設定された閾値に基づいて自動的に選定する機能を有することを特徴とする請求項１から請求項８のいずれか一項に記載の情報通知端末。
【発明の詳細な説明】
【技術分野】
【０００１】
本願は、製造現場で作業者に装着して用いる情報通知端末に関するものである。
【背景技術】
【０００２】
複数の作業者が居て、各作業者が複数の作業を行う現場では、状況に応じたタイムリーな作業指示、連絡が難しく、ワークが滞留しがちである。そのため、複数の作業者の中から適切な人を選定したい（例えば、手が空いている人に準備作業を行ってほしい、リフターを扱える人に搬送をしてほしい等）といった場面が想定される。
このとき、連絡を通達する者が、他の作業者の状態（負荷状況、所在位置等）の情報を取得できると便利である。
複数の作業者の属性情報、環境情報を検索でき、特定（もしくは条件を満たす複数）の作業者を選択し、情報通知を行うことができる既存技術として、特許文献１、特許文献２がある。【０００３】
特許文献１は、オフィスにおいて、従業員の属性（専門領域、個人情報）を登録しておき、属性によって通知を送る従業者を選定する手法である。
また、特許文献２は、作業者の属性情報（例えば、保有技能レベル、業務経験、作業経験、身体的特徴のような個人情報）をもとに、作業者選択を支援し、現場の作業者にテキスト、画像、音声を用いて、伝達、情報共有を可能にしたシステムである。
【先行技術文献】
【特許文献】
【０００４】
【特許文献１】特開２０１１−１２４９６８号公報（第１０頁、第１４図）
【特許文献２】特開２００７−５８６６９号公報（第９〜１４頁、第１図）
【発明の概要】
【発明が解決しようとする課題】
【０００５】
複数の作業者が居る職場において、特定の作業者に対して、プッシュ通知を行いたいが、作業者の属性、作業環境情報に応じて通知対象を選定する必要があり、なおかつ、その場を離れることなく通知を送信したいという要求があり、従来の技術は、これに対応していないという問題があった。
また、受信側に送った通知を確実に認識させるため、作業環境（例えば、振動が大きな職場、光度が暗い職場等）によって通知手段を変化させたいという要求にも、従来は対応していなかった。
また、特許文献１、特許文献２においては、ＰＣ（Ｐｅｒｓｏｎａｌ  Ｃｏｍｐｕｔｅｒ）等、通知発信機能を持つ端末を用いて操作を行う必要があり、特定の範囲内において、どの場所からでもプッシュ通知を発信することができるものではなかった。【０００６】
本願は、上述のような課題を解決するためになされたものであり、発信者が特定の範囲内のどの場所からでも、他の情報通知端末にプッシュ通知を発信することができる情報通知端末を得ることを目的とする。
【課題を解決するための手段】
【０００７】
本願に開示される情報通知端末においては、ユーザに装着され、所定範囲内の無線信号の送受信を行なう情報通知端末であって、他の情報通知端末に対し、他の情報通知端末に対する指示内容を含む通知を発信する通知発信手段、および他の情報通知端末から自情報通知端末が通知を受信した場合に、この受信を自情報通知端末のユーザに知らせるための複数種類の方法のうちのいずれかによって、ユーザに知らせる通知手段を備え、通知発信手段によって発信される通知は、通知先の情報通知端末の通知手段が通知先の情報通知端末を装着したユーザに知らせる方法の情報を含むものである。
【発明の効果】
【０００８】
本願によれば、ユーザに装着され、所定範囲内の無線信号の送受信を行なう情報通知端末であって、他の情報通知端末に対し、他の情報通知端末に対する指示内容を含む通知を発信する通知発信手段、および他の情報通知端末から自情報通知端末が通知を受信した場合に、この受信を自情報通知端末のユーザに知らせるための複数種類の方法のうちのいずれかによって、ユーザに知らせる通知手段を備え、通知発信手段によって発信される通知は、通知先の情報通知端末の通知手段が通知先の情報通知端末を装着したユーザに知らせる方法の情報を含むので、情報通知端末同士でプッシュ通知を発信することができる。
【図面の簡単な説明】
【０００９】
【図１】実施の形態１による情報通知端末を示すハードウェア的構成図である。
【図２】実施の形態１による情報通知端末の相互通信のイメージを示す図である。
【図３】実施の形態１による情報通知端末の制御部のソフトウェア構成を示すブロック図である。
【図４】実施の形態１による情報通知端末の制御部のハードウェア構成を示す図である。
【図５】実施の形態１による情報通知端末のメイン画面を示す図である。
【図６】実施の形態１による情報通知端末の表示画面と操作ごとの画面遷移を示す図である。
【図７】実施の形態１による情報通知端末の通知発信の動作を示すフローチャートである。
【図８】実施の形態１による情報通知端末の通知受信の動作を示すフローチャートである。
【図９】実施の形態１による情報通知端末の発信履歴表示の動作を示すフローチャートである。
【図１０】実施の形態２による情報通信端末から通知発信する際の手順を示すフローチャートである。
【図１１】実施の形態２による情報通知端末のメイン画面を示す図である。
【発明を実施するための形態】
【００１０】
実施の形態１．
図１は、実施の形態１による情報通知端末を示すハードウェア的構成図である。
図１において、情報通知端末（以下、単に端末ともいう。）は、腕に装着可能な機構を有する。
装着部（バンド）１は、腕に巻く部分である。表示画面２は、例えば液晶画面である。物理キー３は、入力のためのもので、物理キー（上）３１、物理キー（下）３２、物理キー（決定）３３、物理キー（戻る）３４を有する。
インターフェースとして、Ｂｌｕｅｔｏｏｔｈ（登録商標）送受信アンテナ４、各種センサ（温度センサ、光度センサ、振動センサ）５、スピーカ６（左右）、マイク７、ＬＥＤ（Ｌｉｇｈｔ  Ｅｍｉｔｔｉｎｇ  Ｄｉｏｄｅ）８、ＭＨＬ（Ｍｏｂｉｌｅ  Ｈｉｇｈ−ｄｅｆｉｎｉｔｉｏｎ  Ｌｉｎｋ）端子９を搭載している。
【００１１】
一般的にスマートウォッチは、タッチパネル式が主流であるが、本情報通知端末は、生産現場で使用されることを想定しており、タッチパネル方式を採用していない。これは、手袋を着用している現場はタッチパネル操作には向かないことと、表示画面の面積が小さいことによる誤操作を防ぐために、そうしたものである。
本情報通知端末は、タッチパネル方式に代えて、４つの物理キー（上、下、決定、戻る）３を用いて、ソフトウェアを操作する方式を採用する。物理キー３を採用することで、手袋を着用する現場でも使いやすくすることと、誤操作の防止に繋がる。
また、表示画面２の表示面積を大きくとるため、物理キー３は側面に配置されている。通知の受信を作業者に知らせるためのＬＥＤ８は、本体の上部に配置されている。この配置により、作業を行いながらでも横目でＬＥＤ８の点灯を確認し易く、通知の見逃しを抑制することができる。
【００１２】
ソフトウェアの操作は、物理キー３だけでなく、マイク７を使って、音声によっても操作が可能である。
また、表示画面下部にはＭＨＬ端子９を備えており、通知の送信および受信の記録をＣＳＶ（Ｃｏｍｍａ  Ｓｅｐａｒａｔｅｄ  Ｖａｌｕｅ）形式として出力することができる。
【００１３】
図２は、実施の形態１による情報通知端末の相互通信のイメージを示す図である。
図２において、情報通知端末の集合体で、システム全体を構成する。すなわち、サーバ等他の機材を介することなく、情報通知端末同士での通信でクローズされている。
図２（上側）に、情報通知端末Ａ、Ｂ、Ｃ、Ｄがシステムを構成し、情報通知端末Ａから情報通知端末Ｂに通知発信および情報取得するようにしたものが示されている。すなわち、任意の情報通知端末から任意の情報通知端末への通知発信と情報取得が可能になっている。
図２（下側）に、Ｂｌｕｅｔｏｏｔｈ送受信範囲として、１００ｍが示されている。任意の情報通知端末を装着した作業者から、この作業者を中心にしたＢｌｕｅｔｏｏｔｈ送受信範囲内にいる情報通知端末を装着した作業者への通信が可能であることを示している。
【００１４】
なお、通信手段としては、Ｂｌｕｅｔｏｏｔｈ  Ｃｌａｓｓ１を採用しており、上述のように、情報通知端末間が最大１００ｍ離れた場所（所定範囲）での通知の送受信が可能である。
本情報通知端末は、Ｂｌｕｅｔｏｏｔｈを用いることにより、情報通知端末間での相互通信が可能であり、互いの情報（端末番号、名前、推定距離、温度センサ値、光度センサ値、振動センサ値）を自端末の画面で確認できるようになっている。
【００１５】
ただし、システムの利用前にあらかじめ全ての情報通知端末間同士でＢｌｕｅｔｏｏｔｈ電波のペアリングを行う必要がある。
また、従来では、このような小型の情報通知端末から他の情報通知端末への発信機能が備わってなく、受信に限定されていたが、本実施の形態１では、自端末から他端末に向けて直接、通知発信することができる。
これにより、従来に比べて、情報通知の利用頻度が増加し、現場での改善サイクルの高速化に繋げられる。
【００１６】
図３は、実施の形態１による情報通知端末の制御部のソフトウェア構成を示すブロック図である。
図３において、制御部２０は、情報通知端末全体を制御する。次の各手段を有する。
通知発信手段２１は、自端末の情報を他端末に伝えるプッシュ通知（以下、単に通知という。）の発信を制御する。
受信履歴表示手段２２は、他端末からの受信履歴の表示を制御する。この受信履歴表示手段２２は、対応状況送信手段２２１を有する。対応状況送信手段２２１は、通知に含まれる指示内容の実行状況を示す対応済みフラグを、通知の発信元の端末へ送信する。
発信履歴表示手段２３は、自端末から他端末への通知発信の履歴である発信履歴の表示を制御する。
情報取得手段２４は、他端末とＢｌｕｅｔｏｏｔｈによるペアリングを行なうことにより、他端末の使用環境の情報（端末番号、名前、自端末との推定距離、温度センサ値、光度センサ値、振動センサ値）を取得し、通知発信手段２１に渡す。また、自端末の使用環境の情報を他端末に提供する。
【００１７】
物理キー入力手段２５は、ソフトウェアの操作のための物理キー３の入力を受け付ける。音声入力手段２６は、ソフトウェアの操作のためのマイク７を介する音声入力を受け付け、音声認識した上で、ソフトウェアに伝える。
通知手段２７は、他端末からの通知の受信をユーザに伝えるための手段であり、ＬＥＤ８による光、スピーカ６による音および振動のいずれかの方法により、ユーザへの通知を行なう。
センサ入力手段２８は、各種センサ５からの信号をサンプリングして取得し、情報取得手段２４と通知発信手段２１に渡す。
【００１８】
図４は、実施の形態１による情報通知端末の制御部のハードウェア構成を示す図である。
図４において、制御部２０は、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３を有している。
ＣＰＵ２０１は、ＲＯＭ２０２に格納されたプログラムを用いて、演算時の一時記憶にＲＡＭ２０３を使用して、制御部２０の各手段の処理を実行し、必要に応じて表示画面２に表示する。
【００１９】
図５は、実施の形態１による情報通知端末のメイン画面を示す図である。
図５において、メイン画面は、１「通知発信」、２「受信履歴」、３「発信履歴」のメニューを表示している。
「通知発信」が選択されると、通知発信手段２１が動作する。「受信履歴」が選択されると、受信履歴表示手段２２が動作する。「発信履歴」が選択されると、発信履歴表示手段２３が動作するようになっている。
【００２０】
図６は、実施の形態１による情報通知端末の表示画面と操作ごとの画面遷移を示す図である。
図６―ａはメイン画面、図６―ｂはメイン画面で通知発信が選択された場合に遷移する画面で、通知対象の選択画面、図６―ｃは図６―ｂでＯＫが選択された場合に遷移する、通知内容と通知手段の選定画面、図６―ｄは図６―ｃで通知内容１が選択された場合に遷移する通知内容（コード１）選択画面、図６―ｅは図６―ｃで通知内容２が選択された場合に遷移する通知内容（コード２）選択画面、図６―ｆは図６―ｃで通知手段が選択された場合に遷移する通知手段選択画面、図６―ｇは図６―ｃで送信が選択された場合に遷移する通知の送信終了を示す画面である。
【００２１】
図６―ｈはメイン画面で受信履歴が選択された場合に遷移する画面で、受信履歴を表示する受信履歴表示画面、図６―ｉは図６―ｈで送信が選択された場合に遷移する対応済みフラグの送信終了を示す画面である。
図６―ｊはメイン画面で発信履歴が選択された場合に遷移する画面で、発信履歴を表示する発信履歴表示画面である。
【００２２】
次に、動作について説明する。
物理キー３を操作することにより、ソフトウェアが操作され、図６に示すように、表示画面２が遷移して、メイン画面で選択された表示、通知発信を行なう。
このソフトウェアの操作は物理キー３だけでなく、音声によっても操作が可能である。例えば、メイン画面を開くときは「メイン」、通知発信を選択する時は「いち」もしくは「通知発信」、受信履歴を選択する時は「に」もしくは「受信履歴」、送信履歴を選択するときは「さん」もしくは「送信履歴」とマイク７に向けて発声する。
また、「オッケー」または「次」と発声すれば、次の画面に遷移し、「戻る」と発声すれば前の画面に戻る。
音声入力手段２６を備えていることにより、使用者（作業者）の両手が塞がっていたり、汚れていたりする場合であっても、速やかに通知を発信することができる。
【００２３】
次に、通知発信の発信側の制御部２０の動作について、図７のフローチャートを用いて説明する。
図６―ａのメイン画面のメニューから「通知発信」が選択される（ステップＳ１）と、通知対象の選択画面（図６―ｂ）に遷移する。
【００２４】
通知対象の選択画面では、自端末含め他端末の情報（端末番号、名前、自端末との推定距離、温度センサ値、光度センサ値、振動センサ値）の一覧が表示される（ステップＳ２）。「推定距離」は対象の端末から受けている電波受信強度［ｄＢｍ］から距離［ｍ］に変換して算出する。また、Ｂｌｕｅｔｏｏｔｈが届かない（自端末の半径１００ｍ以内に存在していない）端末の情報は’−−−‘で表示される。
この通知対象の選択画面では、他の端末から取得された各種センサの情報から、その端末を装着した人物の作業環境（使用環境）の確認をすることができる。
一覧表の右側には、チェックボックスが付いている。チェックボックスは、通知を送る人物（端末）を選ぶためのものであり、通知を送る人物（端末）には対応するチェックボックスにユーザがレ印を入れると、通知を送る人物が選択される（ステップＳ３）。ユーザがチェックボックス上で物理キー（決定）３３を押すと、レ印が表示されるようになっている。
【００２５】
通知対象の選択完了後、ユーザがＯＫを選ぶと、通知内容と通知手段の選定画面（図６―ｃ）に遷移する。
次に、通知内容の選定を行う。
通知内容１および通知内容２は、付属のアプリケーションを用いて、あらかじめ設定しておく必要がある。実施の形態１の設定では、通知内容１は、通知対象への指示内容を示し、通知内容２は、指定場所を示している。この設定は、これに限るものではない。
通知内容と通知手段の選定画面で、通知内容１または通知内容２がユーザに選択されると、通知内容（コード１）選択画面（図６―ｄ）または通知内容（コード２）選択画面（図６―ｅ）に遷移する。この画面で、通知内容１と通知内容２が選択される（ステップＳ４）。
【００２６】
通知内容と通知手段の選定画面で、通知手段が選定されると、通知手段選択画面（図６―ｆに遷移する。通知手段選択画面で、ユーザにより音、光、振動の中から通知手段が選ばれる（ステップＳ５）。このとき、複数選択も可能である。この通知手段の選択では、通知相手の端末の使用環境に応じて選択することができるようになっている。すなわち、騒音の激しい環境では、他の通知手段を選択するなどを行なう。
なお、上述の説明では、通知手段の選択をユーザが行なうように説明したが、使用環境に応じて、制御部２０が自動的に選択するような構成を取ることも可能である。
通知内容と通知手段の選定画面で、通知内容１、通知内容２、通知手段が決まったら、ユーザは送信を選び、物理キー（決定）３３を押すと、通知電波が送信される（ステップＳ６）。送信完了すると、図６―ｇの「通知を送信しました」の画面が表示される。
【００２７】
次に、通知発信の受信側の制御部２０の動作について、図８を用いて説明する。
通知を受信した端末では、音、光、振動のいずれかで、ユーザに通知の受信を知らせる（ステップＳ１１）。次いで、通知内容１および通知内容２を画面に表示する（ステップＳ１２）。これにより、ユーザは、通知指示内容を実行することができる。
次いで、ユーザにより、図６―ａのメイン画面のメニューから「受信履歴」が選択される（ステップＳ１３）と、受信履歴表示画面（図６―ｈ）に遷移する。
【００２８】
この受信履歴表示画面では、自端末が他端末から受け取った通知の履歴一覧が表示される。この画面では、通知を受信した日付、時刻、送信者、通知内容１、通知内容２が表形式で一覧化されている。この画面で、ユーザが、物理キー３を使って、受信履歴のうちの対応済みの１件を選択し、対応済みフラグを送信できる。
対応済みフラグは「○、△、×」の３種類で評価をし、送信を押すと、対応済みフラグが送信される（ステップＳ１４）。送信完了すると、図６―ｉの「対応済みフラグを送信しました」の画面が表示される。
対応済みフラグは、他端末で確認することができる。この機能により、通知の対応が完了しているかの確認が発信者の端末から参照可能になる。
【００２９】
次に、通知送信側の制御部２０による発信履歴表示の動作について、図９を用いて説明する。
ユーザにより、図６―ａのメイン画面のメニューから「発信履歴」が選択される（ステップＳ２１）と、発信履歴表示画面（図６―ｊ）に遷移する。
この発信履歴表示画面では、自端末が他端末に送信した通知の履歴一覧が表示される（ステップＳ２２）。この画面では、通知を送信した日付、時刻、送信者、通知内容１、通知内容２が表形式で一覧化されている。この画面で、ユーザが、送信した通知の履歴と、通知対象者が記録した対応済みフラグ（○、△、×の３種類での評価）を確認することができる。
【００３０】
実施の形態１によれば、相互通信を可能にし、情報通知端末に通知発信機能を設けたので、サーバ、ＰＣなどを介することなく、端末同士でプッシュ通知を発信することができる。
すなわち、プッシュ通知発信者が、通知対象と通知手段（音、光、振動）を選び、相手端末にプッシュ通知を発信することができる。
また、通知発信の受信側の端末に対応済みフラグを送信する機能を設けたので、通知発信側の端末で、通知内容の実行状況を知ることができる。
また、ソフトウェアを操作するための物理キーを採用することで、手袋を着用する現場でも使いやすくすることと、誤操作の防止に繋がる。
また、ソフトウェアを操作するための音声入力機能を備えたことにより、使用者（作業者）の両手が塞がっていたり、汚れていたりする場合であっても、速やかに通知を発信することができる。
また、ウェアラブル形状を有することにより、手を塞ぐことなく加工作業が可能でありながら異常発生等の認知が可能である。
【００３１】
実施の形態２
本実施の形態では、自情報通知端末(以下、発信側)から他の情報通信端末(以下、受信側)に通知を送信する際に、複数種類の通知手段の中から通知手段(光、音、振動)を選択することができる。
【００３２】
また、本端末は、他の情報通信端末で計測されたリアルタイムの振動の大きさ、音の大きさ、明るさを取得、閲覧することができ、それらの計測値を参照することで発信側が通知手段を選択するための判断に用いることができる。
【００３３】
また、本実施の形態では、受信側で計測された環境（振動の大きさ、音の大きさ、明るさ）に応じて、発信側が通知方法を自動選定する機能を持つ。
【００３４】
発信側が通知方法を自動選定した上で通知を送信したい場合、発信前の通知手段選定画面において「自動」を選択することで、本機能を使うことができる。
【００３５】
発信側が通知手段を選定し、受信側に通知送信するまでのフローを図１０に示す。
発信側は本端末のメイン画面を表示し、「通知発信」を選ぶ（この時、自端末が他端末のセンサ値をBluetooth電波を用いて取得している)。次に、通知発信対象画面を見て、通知対象とする端末を選択する。次に通知内容１を選択する。次に通知内容２を選択する。次に、通知方式選定を自動にするか否かでシステムの処理が異なる。通知方式選定を自動で発信したい場合、通知方式選択画面で「自動」を選択する。この時、受信側の振動センサ取得値がP1以上である場合、通知先端末の振動での通知がオフになる。次に、音センサ取得値が設定値Q1以上またはQ2以下の場合、通知先端末の音での通知がオフになる。次に、光度センサ取得値が設定値R1以上またはR2以下の場合、通知先端末の光での通知がオフになる。「自動」を選択した後は、「OK」を押し、「送信」を押すことで、通知を送信する。
一方、通知方式を送信側の意思で選定したい場合は、「自動」を選ばずに、音、光、振動のいずれか（複数選択可能）を選択する。次に「OK」を押し、「送信」を押すことで、通知を送信する。
以上の手順で、送信側から受信側に通知を送信する。
【００３６】
各設定値P1、Q1、Q2、R1、R2は本端末で任意の数値に設定することができる。
ただしP1の単位は[m/s^2]、Q1およびQ2の単位は[dB]、R1およびR2の単位は[lx]である。
設定手順は、図１１のメイン画面において、４「設定」を選び、「通知自動選定の閾値」を選択する。次に振動、音、明るさの中から1つを選ぶ。次にその内のいずれかを選択すると、設定値の入力画面に遷移するため、入力フォームに設定値を入力する（入力は、端末本体の入力機能を用いる）。
【００３７】
「通知自動選定の閾値」の初期設定として、R1=0.5、Q1=70、Q2=30、R1=2000、R2=50が登録されている。設定機能を使って設定値を変更した場合、変更後の設定値が適用される。
【００３８】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００３９】
１  装着部（バンド）、２  表示画面、３  物理キー、４  Ｂｌｕｅｔｏｏｔｈ送受信アンテナ、５  各種センサ、６  スピーカ、７  マイク、８  ＬＥＤ、９  ＭＨＬ端子、２０  制御部、２１  通知発信手段、２２  受信履歴表示手段、２３  発信履歴表示手段、２４  情報取得手段、２５  物理キー入力手段、２６  音声入力手段、２７  通知手段、２８  センサ入力手段、３１  物理キー（上）、３２  物理キー（下）、３３  物理キー（決定）、３４  物理キー（戻る）、２０１  ＣＰＵ、２０２  ＲＯＭ、２０３  ＲＡＭ、２２１  対応状況送信手段
【図１】
2019039274.tif 000003
【図２】
2019039274.tif 000004
【図３】
2019039274.tif 000005
【図４】
2019039274.tif 000006
【図５】
2019039274.tif 000007
【図６】
2019039274.tif 000008
【図７】
2019039274.tif 000009
【図８】
2019039274.tif 000010
【図９】
2019039274.tif 000011
【図１０】
2019039274.tif 000012
【図１１】
2019039274.tif 000013
【国際調査報告】
2019039274.tif 000014
2019039274.tif 000015